(57)【要約】【課題】複数波長の光を用いた光音響装置において、測定精度を向上させる。【解決手段】異なる二つ以上の波長の光を、周回軌道に沿った被検体上の異なる位置に照射可能な照射光学系と、前記光が照射された前記被検体から発生した音響波を受信し、電気信号に変換する探触子と、を有し、前記照射光学系は、第一の周回において第一の波長の光が照射された位置に、前記第一の周回以降に行われる第二の周回において第二の波長の光が照射されるように、前記光の照射位置を移動させながら、前記第一の波長または前記第二の波長の光のいずれかを前記被検体に照射する。【選択図】図１
2019187617.tif 000002
【特許請求の範囲】
【請求項１】
異なる二つ以上の波長の光を、周回軌道に沿った被検体上の異なる位置に照射可能な照射光学系と、
前記光が照射された前記被検体から発生した音響波を受信し、電気信号に変換する探触子と、
を有し、
前記照射光学系は、第一の周回において第一の波長の光が照射された位置に、前記第一の周回以降に行われる第二の周回において第二の波長の光が照射されるように、前記光の照射位置を移動させながら、前記第一の波長または前記第二の波長の光のいずれかを前記被検体に照射する
ことを特徴とする、光音響装置。
【請求項２】
前記第一の波長の光に起因して発生した音響波に対応する電気信号に基づいて第一の画像を生成し、前記第二の波長の光に起因して発生した音響波に対応する電気信号に基づいて第二の画像を生成し、前記光の照射位置が同一である前記第一および第二の画像に基づいて、前記被検体内の機能情報を表す第三の画像を生成する画像生成手段をさらに有する
ことを特徴とする、請求項１に記載の光音響装置。
【請求項３】
前記画像生成手段は、前記第一の画像および第二の画像を周期的に更新し、前記光の照射位置が同一である前記第一および第二の画像が共に更新されたことに応じて、前記第三の画像を更新する
ことを特徴とする、請求項２に記載の光音響装置。
【請求項４】
前記画像生成手段は、前記光の照射および前記音響波の受信と平行して画像の生成を行う
ことを特徴とする、請求項２または３に記載の光音響装置。
【請求項５】
前記第三の画像は、酸素飽和度に基づく画像である
ことを特徴とする、請求項２から４のいずれか１項に記載の光音響装置。
【請求項６】
前記照射光学系は、ｎ（ｎ≧２）波長の光を照射可能であり、
一周回あたりの前記光の照射回数をｍとした場合に、前記ｎとｍが互いに素であり、かつ、ｎ＜ｍが成り立つ
ことを特徴とする、請求項１から５のいずれか１項に記載の光音響装置。
【請求項７】
前記照射光学系の少なくとも一部と前記探触子が一体として構成される
ことを特徴とする、請求項１から６のいずれか１項に記載の光音響装置。
【請求項８】
前記照射光学系から照射される光の波長が、前記光の照射ごとに切り替わる
ことを特徴とする、請求項１から７のいずれか１項に記載の光音響装置。
【請求項９】
異なる二つ以上の波長の光を、周回軌道に沿った被検体上の異なる位置に照射する照射ステップと、
前記光が照射された前記被検体から発生した音響波を受信し、電気信号に変換する変換ステップと、
を含み、
前記照射ステップでは、第一の周回において第一の波長の光が照射された位置に、前記第一の周回以降に行われる第二の周回において第二の波長の光が照射されるように、前記光の照射位置を移動させながら、前記第一の波長または前記第二の波長の光のいずれかを
前記被検体に照射する
ことを特徴とする、被検体情報取得方法。
【請求項１０】
前記第一の波長の光に起因して発生した音響波に対応する電気信号に基づいて第一の画像を生成し、前記第二の波長の光に起因して発生した音響波に対応する電気信号に基づいて第二の画像を生成し、前記光の照射位置が同一である前記第一および第二の画像に基づいて、前記被検体内の機能情報を表す第三の画像を生成する画像生成ステップをさらに含む
ことを特徴とする、請求項９に記載の被検体情報取得方法。
【請求項１１】
前記画像生成ステップでは、前記第一の画像および第二の画像を周期的に更新し、前記光の照射位置が同一である前記第一および第二の画像が共に更新されたことに応じて、前記第三の画像を更新する
ことを特徴とする、請求項１０に記載の被検体情報取得方法。
【請求項１２】
前記画像生成ステップでは、前記光の照射および前記音響波の受信と平行して画像の生成を行う
ことを特徴とする、請求項１０または１１に記載の被検体情報取得方法。
【請求項１３】
前記第三の画像は、酸素飽和度に基づく画像である
ことを特徴とする、請求項１０から１２のいずれか１項に記載の被検体情報取得方法。
【請求項１４】
前記照射ステップでは、ｎ（ｎ≧２）波長の光を照射可能であり、
一周回あたりの前記光の照射回数をｍとした場合に、前記ｎとｍが互いに素であり、かつ、ｎ＜ｍが成り立つ
ことを特徴とする、請求項９から１３のいずれか１項に記載の被検体情報取得方法。
【請求項１５】
前記照射ステップにおいて照射される光の波長が、前記光の照射ごとに切り替わる
ことを特徴とする、請求項９から１４のいずれか１項に記載の被検体情報取得方法。
【発明の詳細な説明】
【技術分野】
【０００１】
本発明は、光音響装置に関する。
【背景技術】
【０００２】
被検体内の構造情報や、生理的情報、すなわち機能情報をイメージングするための技術として、光音響トモグラフィ（ＰＡＴ：ＰｈｏｔｏＡｃｏｕｓｔｉｃ  Ｔｏｍｏｇｒａｐｈｙ）が知られている。
レーザ光などの光を被検体である生体に照射すると、光が被検体内の生体組織で吸収される際に音響波（典型的には超音波）が発生する。この現象を光音響効果と呼び、光音響効果により発生した音響波を光音響波と呼ぶ。被検体を構成する組織によって、光エネルギーの吸収率がそれぞれ異なるため、発生する光音響波の音圧も組織によって異なったものとなる。ＰＡＴでは、発生した光音響波を探触子で受信し、受信信号を数学的に解析することにより、被検体内の特性情報を取得することができる。
【０００３】
また、光音響トモグラフィでは、互いに異なる波長を有する光を照射して、光の吸収係数を波長ごとに求めることにより、被検体内に存在する物質の濃度関連分布（物質の濃度に関する値の分布）を得ることができる。
これに関連する技術として、例えば、特許文献１には、複数波長の光を被検体に照射し、酸素飽和度といった被検体内の機能情報を取得する光音響装置が記載されている。
【先行技術文献】
【特許文献】
【０００４】
【特許文献１】特開２０１６−５９７６８号公報
【発明の概要】
【発明が解決しようとする課題】
【０００５】
特許文献１に記載の装置では、探触子を移動させながら光の波長を切り替え、それぞれの波長の光を被検体上の異なる位置に照射している。しかし、当該構成によると、被検体内における光の強度分布が波長ごとに変わってしまうため、酸素飽和度といった機能情報が精度よく得られなくなるおそれがある。
【０００６】
本発明はこのような従来技術の課題に鑑みてなされたものであり、複数波長の光を用いた光音響装置において、測定精度を向上させることを目的とする。
【課題を解決するための手段】
【０００７】
上記課題を解決するための、本発明に係る光音響装置は、
異なる二つ以上の波長の光を、周回軌道に沿った被検体上の異なる位置に照射可能な照射光学系と、前記光が照射された前記被検体から発生した音響波を受信し、電気信号に変換する探触子と、を有し、前記照射光学系は、第一の周回において第一の波長の光が照射された位置に、前記第一の周回以降に行われる第二の周回において第二の波長の光が照射されるように、前記光の照射位置を移動させながら、前記第一の波長または前記第二の波長の光のいずれかを前記被検体に照射することを特徴とする。
【０００８】
また、本発明に係る被検体情報取得方法は、
異なる二つ以上の波長の光を、周回軌道に沿った被検体上の異なる位置に照射する照射ステップと、前記光が照射された前記被検体から発生した音響波を受信し、電気信号に変換する変換ステップと、を含み、前記照射ステップでは、第一の周回において第一の波長
の光が照射された位置に、前記第一の周回以降に行われる第二の周回において第二の波長の光が照射されるように、前記光の照射位置を移動させながら、前記第一の波長または前記第二の波長の光のいずれかを前記被検体に照射することを特徴とする。
【発明の効果】
【０００９】
本発明によれば、複数波長の光を用いた光音響装置において、測定精度を向上させることができる。
【図面の簡単な説明】
【００１０】
【図１】第一の実施形態に係る光音響装置の構成を説明する図。
【図２】第一の実施形態における探触子ユニットの移動を模式的に表した図。
【図３】高解像度領域の中心位置を照射タイミングごとに示した図。
【図４】第一の実施形態における波長ごとの照射タイミングを示した図。
【図５】第一の実施形態における光照射分布を模式的に示した図。
【図６】第二の実施形態における波長ごとの照射タイミングを示した図。
【発明を実施するための形態】
【００１１】
以下に図面を参照しつつ、本発明の実施形態について説明する。ただし、以下に記載されている構成部品の寸法、材質、形状およびそれらの相対配置などは、発明が適用される装置の構成や各種条件により適宜変更されるべきものである。よって、この発明の範囲を以下の記載に限定する趣旨のものではない。
【００１２】
本発明は、被検体から伝搬する音響波を検出し、被検体内部の特性情報を生成し、取得する技術に関する。よって本発明は、光音響装置またはその制御方法として捉えられる。本発明はまた、これらの方法をＣＰＵやメモリ等のハードウェア資源を備える装置に実行させるプログラムや、そのプログラムを格納した、コンピュータにより読み取り可能な非一時的な記憶媒体としても捉えられる。
【００１３】
実施形態に係る光音響装置は、被検体（例えば乳房、顔、手の平）に光（電磁波）を照射することにより被検体内で発生した音響波を受信して、被検体の特性情報を画像データとして取得する光音響効果を利用した装置である。この場合、特性情報とは、光音響波を受信することにより得られる受信信号を用いて生成される、被検体内の複数位置のそれぞれに対応する特性値の情報である。
【００１４】
光音響測定により取得される特性情報は、光エネルギーの吸収率を反映した値である。例えば、光照射によって生じた音響波の発生源、被検体内の初期音圧、あるいは初期音圧から導かれる光エネルギー吸収密度や吸収係数、組織を構成する物質の濃度を含む。
また、異なる複数波長の光によって発生する光音響波に基づいて、被検体を構成する物質の濃度といった情報が得られる。この情報は、酸素飽和度、酸素飽和度に吸収係数等の強度を重み付けした値、トータルヘモグロビン濃度、オキシヘモグロビン濃度、またはデオキシヘモグロビン濃度であってもよい。また、グルコース濃度、コラーゲン濃度、メラニン濃度、または脂肪や水の体積分率であってもよい。
以下に説明する実施形態では、ヘモグロビンを吸収体として想定した波長の光を被検体に照射することで、被検体内の血管の分布・形状のデータと、その血管における酸素飽和度分布のデータを取得し、画像化する光音響イメージング装置を想定する。
【００１５】
被検体内の各位置の特性情報に基づいて、二次元または三次元の特性情報分布が得られる。分布データは画像データとして生成され得る。特性情報は、数値データとしてではなく、被検体内の各位置の分布情報として求めてもよい。すなわち、初期音圧分布、エネルギー吸収密度分布、吸収係数分布や酸素飽和度分布などの分布情報である。
【００１６】
本明細書における音響波とは、典型的には超音波であり、音波、光音響波と呼ばれる弾性波を含む。探触子等により音響波から変換された電気信号を音響信号とも呼ぶ。ただし、本明細書における超音波または音響波という記載には、それらの弾性波の波長を限定する意図はない。光音響効果により発生した音響波は、光音響波または光超音波と呼ばれる。光音響波に由来する電気信号を光音響信号とも呼ぶ。なお、本明細書において、光音響信号とは、アナログ信号とデジタル信号の双方を含む概念である。分布データは、光音響画像データや再構成画像データとも呼ばれる。
【００１７】
本実施形態に係る光音響装置は、被検体にパルス光を照射し、被検体内において発生した光音響波を受信することで、被検体内の光学特性に関連した情報を生成する装置である。
【００１８】
（第一の実施形態）
図１は、第一の実施形態に係る光音響装置の構成を説明する図である。本実施形態に係る光音響装置は、探触子ユニット１１０、光源１０３、照射光学系１０４、信号取得部１０５、データ処理部１０６、表示装置１０７、保持部材１０８、走査機構１０９を有して構成される。
探触子ユニット１１０は、複数の変換素子１０１および支持部材１０２を有して構成される。また、データ処理部１０６は、画像生成部１０６１、画像処理部１０６２、制御部１０６３を有して構成される。
【００１９】
探触子ユニット１１０は、被検体に対して光を照射し、被検体から発生した音響波を受信するユニットである。探触子ユニット１１０は、半球状の支持部材１０２の内面に、複数（例えば５１２個）の変換素子１０１をスパイラル状に配置することで構成される。さらに、支持部材１０２の底部には、後述する光源１０３から発せられた光が通過する開口部が設けられている。
【００２０】
支持部材１０２は、複数の変換素子１０１を支持する、略半球形状の容器である。本実施形態では、半球の内側面に複数の変換素子１０１が設置され、半球の底部（極）に光を通過させるための開口部が設けられ、後述する照射光学系１０４が接続されている。なお、半球の内側には、音響整合材（例えば水）が貯留されてもよい。支持部材１０２は、これらの部材を支持するため、機械的強度が高い金属材料などを用いて構成することが好ましい。より好ましくは、走査機構１０９により探触子ユニット１１０を移動させた場合に、探触子ユニット１１０の姿勢が保たれる程度の機械的強度を持つように支持部材１０２を構成する。
【００２１】
変換素子１０１は、被検部の内部から到来する音響波を受信して、電気信号（以下、光音響信号）に変換する手段である。変換素子は、探触子、音響波検出素子、音響波検出器、音響波受信器、トランスデューサとも呼ばれる。
生体から発生する音響波は、１００ＫＨｚから１００ＭＨｚの超音波であるため、音響波検出素子には、上記の周波数帯を受信できる素子を用いる。具体的には、圧電現象を用いたトランスデューサ、光の共振を用いたトランスデューサ、容量の変化を用いたトランスデューサなどを用いることができる。
【００２２】
また、音響波検出素子は、感度が高く、周波数帯域が広いものを用いることが望ましい。具体的にはＰＺＴ（チタン酸ジルコン酸鉛）などを用いた圧電素子、ＰＶＤＦ（ポリフッ化ビニリデン）などの高分子圧電膜材料、ＣＭＵＴ（容量性マイクロマシン超音波トランスデューサ）、ファブリペロー干渉計を用いたものなどが挙げられる。ただし、ここに挙げたものだけに限定されず、探触子としての機能を満たすものであれば、どのようなも
のであってもよい。
【００２３】
複数の変換素子１０１は、各素子の最も受信感度の高い方向（指向軸）が、略半球面形状の曲率中心およびその近傍からなる一定の領域に集中するようにアレイ状に配置されている。複数の変換素子１０１をこのように配置することで、半球の曲率中心において高い分解能を得ることができる。本明細書では、このように高分解能化された領域を、高分解能領域と称する。なお、本実施形態における高分解能領域とは、最も高い分解能が得られる点から、当該分解能が最も高い分解能の半分になる点までの領域を指す。本実施形態においては、半球状の支持部材１０２の中心が、最も高い受信感度が得られる位置であり、高分解能領域は、半球の中心から等方的に広がる球状の領域となる。
【００２４】
このように、複数の変換素子１０１を多次元的に配置することで、同時に複数の位置で音響波を受信することができるため、測定時間を短縮できる。なお、複数の変換素子１０１の受信感度の高い方向を所定の領域に集中させることができれば、支持部材１０２は半球状に限られない。例えば、支持部材１０２は、楕円体を任意の断面で切り取った形状であってもよく、多面体で構成されてもよい。
【００２５】
探触子ユニット１１０は、走査機構１０９によって、三次元方向に移動させることができる。これにより、光の照射位置と音響波の受信位置を被検体に対して相対的に移動させることができる。走査機構１０９は、例えば、ガイド機構、駆動機構、走査位置センサ等を、Ｘ，Ｙ，Ｚ軸の三方向それぞれに有していてもよい。
【００２６】
光源１０３は、被写体に照射するパルス光を発生させる装置である。光源１０３は、大出力を得るためにレーザ光源であることが望ましいが、レーザの代わりに発光ダイオードやフラッシュランプを用いることもできる。光源としてレーザを用いる場合、固体レーザ、ガスレーザ、色素レーザ、半導体レーザなど様々なものが使用できる。
また、パルス光の波長は、被検体を構成する成分のうち特定の成分に吸収される特定の波長であって、被検体内部まで光が伝搬する波長であることが望ましい。具体的には、５００ｎｍ以上１２００ｎｍ以下であることが望ましい。
また、光音響波を効果的に発生させるためには、被検体の熱特性に応じて十分短い時間に光を照射させなければならない。本実施形態に示すように被検体が生体である場合は、光源から発生するパルス光のパルス幅は１０〜１００ナノ秒程度が好適である。
なお、光照射のタイミング、波形、強度等は、後述するデータ処理部１０６（制御部１０６３）によって制御される。
【００２７】
光源１０３に用いるレーザは、出力が強く連続的に波長を変えられるものであることが好ましく、例えばＮｄ：ＹＡＧ励起のＴｉ：ｓａレーザや、アレキサンドライトレーザなどを好適に用いることができる。また、複数の波長の光を照射する場合、異なる波長の単波長レーザを複数含んで光源１０３を構成してもよい。
【００２８】
照射光学系１０４は、光源から発せられたパルス光を伝送する部材である。光源から出射された光は、レンズやミラーなどの光学部品により、所定の光分布形状に加工されながら被検体に導かれ、照射される。なお、光ファイバなどの光導波路などを用いて光を伝搬させることも可能である。
照射光学系１０４は、例えば、複数の中空の導波管を、ミラーを内包した関節によって接続し、この導波管内を導光させる構成であってもよい。また、ミラーやレンズなどの光学素子により空間中を伝搬させて導光させる構成であってもよい。
照射光学系１０４は、例えば、レンズ、ミラー、プリズム、光ファイバ、拡散板、シャッター、フィルタなどの光学機器を含んでいてもよい。光源１０３から発せられた光を被検体に所望の形状で照射できれば、光学系には、どのような光学部品を用いてもよい。な
お、光はレンズで集光させるより、ある程度の面積に広げる方が、生体への安全性ならびに観察領域を広げられるという観点で好ましい。
【００２９】
信号取得部１０５は、変換素子１０１が取得した電気信号を増幅してデジタル信号に変換する手段である。
信号取得部１０５は、受信信号を増幅する増幅器、アナログの受信信号をデジタル変換するＡ／Ｄ変換器、受信信号を記憶するＦＩＦＯ等のメモリと、ＦＰＧＡチップ等の演算回路を用いて構成されてもよい。また、信号取得部１０５は、複数のプロセッサや演算回路から構成されていてもよい。
【００３０】
データ処理部１０６は、信号取得部１０５から出力されたデジタル信号を用いて画像再構成を行う手段（画像生成部１０６１）、画像処理を行う手段（画像処理部１０６２）、および、光音響装置が有する各構成要素の制御を行う手段（制御部１０６３）を含む。
データ処理部１０６は、ＣＰＵとＲＡＭ、不揮発メモリ、制御ポートを有するコンピュータで構成してもよい。不揮発メモリに格納されたプログラムがＣＰＵで実行されることにより制御が行われる。データ処理部１０６は、汎用コンピュータや、専用に設計されたワークステーションによって実現されてもよい。また、データ処理部１０６の演算機能を担うユニットは、ＣＰＵやＧＰＵ等のプロセッサ、ＦＰＧＡチップ等の演算回路で構成されていてもよい。これらのユニットは、単一のプロセッサや演算回路から構成されるだけでなく、複数のプロセッサや演算回路から構成されていてもよい。
【００３１】
画像生成部１０６１は、デジタル変換された信号（光音響信号）に基づいて、例えば、Ｆｉｌｔｅｒｅｄ  Ｂａｃｋ  Ｐｒｏｊｅｃｔｉｏｎ（ＦＢＰ）などの手法を用いて、被検体内部の光音響波の初期音圧分布ｐ（ｒ）を算出する。ＦＢＰでは、例えば、以下の式（１）を用いて画像再構成を行う。ここで、ｄＳ０は検出器のサイズ、Ｓ０は再構成に用いた開口サイズ、ｐｄ（ｒ、ｔ）は複数の変換素子において受信された信号、ｔは受信時刻、ｒ０は複数の変換素子の位置である。
【数１】
2019187617.tif 000003
【００３２】
画像処理部１０６２は、画像再構成処理によって生成した画像データに対して画像処理を行う。例えば、ゲイン補正処理、ガウシアンフィルタやメディアンフィルタによるノイズ抑制処理、ＭＩＰ（最大輝度投影）画像の生成、方向や距離に基づいた彩色、彩度や明度を変化させた投影像の生成等を行ってもよい。
また、複数の再構成データを用いて、被検体内の機能情報を算出し、対応する画像を生成してもよい。このようにして生成した画像についても、前述した画像処理の対象とすることができる。また、操作者によって指定された領域に対して強調を施す画像処理などを行ってもよい。処理後の画像は、表示装置１０７に出力される。
【００３３】
制御部１０６３は、被検体に対する光照射の制御、音響波や光音響信号の受信制御、探触子ユニットの移動制御など、装置全体の制御に関する指令を行う。
【００３４】
なお、本実施形態では、画像生成部１０６１と、画像処理部１０６２と、制御部１０６３を共通のハードウェアで実現したが、これらのハードウェアは分離していてもよい。
【００３５】
また、データ処理部１０６の記憶機能を担うユニットは、ＲＯＭ、磁気ディスクやフラッシュメモリなどの非一時記憶媒体や、ＲＡＭなどの揮発性の媒体であってもよい。なお、プログラムが格納される記憶媒体は、非一時記憶媒体である。なお、これらのユニット
は、１つの記憶媒体から構成されるだけでなく、複数の記憶媒体から構成されていてもよい。
【００３６】
表示装置１０７は、データ処理部１０６が取得した情報およびその加工情報を表示する手段であり、典型的にはディスプレイ装置である。表示装置１０７は、複数の装置であってもよいし、単一の装置に複数の表示部を備え、並列表示が可能な装置であってもよい。なお、表示装置１０７は、タッチパネルのように、操作者からの指示を受け付ける入力部を備えた構成としてもよい。この他にも、入力手段を表示装置１０７とは別に設けてもよい。
【００３７】
保持部材１０８は、被検体を保持する部材である。本実施形態では、被検体が図中Ｚ軸正方向から挿入され、保持部材１０８に当接した状態で保持される。保持部材１０８は、ポリエチレンテレフタラートのように、被検体を支える強度と、光と音響波を透過させる特性を有する材質であることが好ましい。なお、必要に応じて、保持部材１０８の内側に音響整合材を貯留してもよい。
【００３８】
走査機構１０９は、変換素子１０１と支持部材１０２を含む探触子ユニット１１０を、被検体に対して相対的に移動する手段である。なお、本実施形態では、探触子ユニット１１０を移動させているが、探触子ユニット１１０を固定して被検体を動かす構成であってもよい。また、双方を動かす構成であってもよい。探触子ユニット１１０と被検体との相対位置を変えることができれば、走査機構１０９の構成は限定されない。
本実施形態では、走査機構１０９は、可動ステージを含んで構成され、探触子ユニット１１０を、ＸＹ方向に二次元的に、または、ＸＹＺ方向に三次元的に移動させることができる。
【００３９】
次に、本実施形態に係る光音響装置が、被検体である生体を測定する方法について説明する。
まず、光源１０３から発せられたパルス光が、照射光学系１０４を介して被検体に照射される。被検体の内部を伝搬した光のエネルギーの一部が血液などの光吸収体に吸収されると、熱膨張により当該光吸収体から音響波が発生する。生体内にがんが存在する場合は、がんの新生血管において他の正常部の血液と同様に光が特異的に吸収され、音響波が発生する。生体内で発生した光音響波は、変換素子１０１によって受信される。
【００４０】
本実施形態では、支持部材１０２と被検体の相対的な位置関係を、走査機構によって変更しながら、光の照射および音響波の取得を行うことができる。すなわち、被検体上の異なる位置に光を複数回照射しながら光音響信号を取得することができる。
【００４１】
図２（Ａ）は、本実施形態における探触子ユニット１１０の移動をＸＹ平面上で模式的に表した図である。また、図２（Ｂ）は、光の照射およびボリュームデータの生成、画像の表示を行うタイミングを示した図である。
【００４２】
図２（Ａ）における符号２０１は、探触子ユニット１１０がＸＹ平面内で移動した場合において、高分解能領域の中心点が描く軌跡を実線で示している。つまり、図２（Ａ）は、探触子ユニット１１０の描く軌跡をＸＹ平面に投影した図と言うこともできる。本実施形態では、所定のタイミング（Ｔｅ１，Ｔｅ２，Ｔｅ３，…，ＴｅＮ）で、被検体に対して光の照射を行い、受信した音響波に基づいてボリュームデータ（Ｖ１，Ｖ２，…，ＶＮ）を生成する。図中、Ｐｏｓ１，Ｐｏｓ２，Ｐｏｓ３は、光照射タイミングＴｅ１，Ｔｅ２，Ｔｅ３における、高分解能領域の中心位置を示す。Ｐｏｓ１，Ｐｏｓ２，Ｐｏｓ３は、本実施形態のように、半球状の支持部材を持つ探触子ユニットであれば、当該半球の中心をＸＹ平面に投影した位置と言い換えることもできる。Ｐｏｓ１，Ｐｏｓ２，Ｐｏｓ３
の各点を中心とした点線は、それぞれの位置での高分解能領域の広がりを模式的に示したものである。
【００４３】
本実施形態では、このように高分解能領域が重複する複数の位置において光の照射を行い、音響波を受信して光音響信号を取得する。高分解能領域では、複数の変換素子１０１の指向性の高い領域が重複するため、当該領域から発生した光音響信号を、高いＳＮ比で取得することができる。また、被検体に対する探触子ユニット１１０の相対位置を変更しながら光音響信号を取得することで、再構成後の画像に発生するアーチファクトを抑制することができる。なお、本実施形態では、被検体上の光が照射される領域（光照射領域）は、高解像度領域の中心に対応する位置となる。光照射領域も、探触子ユニット１１０の移動に合わせて高解像度領域とともに移動する。
【００４４】
次に、データ処理部１０６の動作を説明する。
まず、画像生成部１０６１が、信号取得部１０５から出力された光音響信号に基づいて画像再構成を実行し、ボリュームデータを出力する。この画像再構成は、光の照射ごとに得られた光音響信号に対して個別に実施される。
次に、画像処理部１０６２が、複数の光音響ボリュームを合成することで、アーチファクトが抑制された合成ボリュームデータを生成する。以下では、ボリュームデータおよび合成ボリュームデータを、それぞれ「画像データ」および「合成画像データ」とも称する。
【００４５】
図２に示した例では、高分解能領域の中心がＰｏｓ１にあるタイミングで光を照射し、それによって取得した光音響信号を用いて、Ｐｏｓ１を中心とする点線で示された高分解能領域を含む空間を対象として画像再構成を行い、ボリュームデータＶ１を得る。
次に、高分解能領域の中心がＰｏｓ２にあるタイミングで光を照射し、取得した光音響信号を用いて、Ｐｏｓ２を中心とする点線で示された高分解能領域を含む空間を対象として画像再構成を行い、ボリュームデータＶ２を得る。同様に、高分解能領域の中心がＰｏｓ３，Ｐｏｓ４にある場合に、ボリュームデータＶ３、ボリュームデータＶ４を得る。
【００４６】
画像処理部１０６２は、これら４つのボリュームデータの相対的な位置関係を保持したまま合成を行い、合成ボリュームデータＶ’１を算出する。これにより、各ボリュームデータのうち、重複が生じる領域においてアーチファクトが抑制された光音響画像を得ることができる。このような効果を得るためには、光照射を行う際の高分解能領域の中心点のうち、少なくとも２ヶ所の位置の間の距離Ｌが、高分解能領域の半径Ｒよりも小さいことが望ましい。
【００４７】
また、探触子ユニット１１０が軌道上のどの位置にある場合であっても高分解能領域同士が重複するように探触子ユニット１１０の動きを制御することで、より多くの光音響信号を用いて画像再構成をすることが可能となる。すなわち、アーチファクトをさらに抑制した光音響画像を得ることが可能となる。例えば、軌道２０１の半径をＲｒｏｔとした場合に、Ｒｒｏｔが、高分解能領域の半径Ｒより小さくなるように制御することで、この効果を得ることができる。
また、さらに、Ｒｒｏｔ＜Ｒ／２となるように制御することで、周回軌道の内部の全ての領域において高分解能領域同士を重複させることができる。すなわち、より広い範囲においてアーチファクトが抑制された光音響画像を得ることが可能となる。
【００４８】
本実施形態では、図２（Ｂ）に示したように、探触子ユニット１１０の位置をＰｏｓ１，Ｐｏｓ２，Ｐｏｓ３，…，ＰｏｓＮと変えながら、等間隔で光の照射を行う。各タイミングで光音響信号が取得されると、画像生成部１０６１が画像再構成を行い、ボリュームデータＶ１，Ｖ２，…，ＶＮを生成する。さらに、画像処理部１０６２が、ボリュームデ
ータＶ１〜Ｖ４の４つを用いて合成ボリュームデータＶ’１を生成する。本例では、合成ボリュームデータＶ’ｎは、ボリュームデータＶｎ〜Ｖ（ｎ＋３）を合成することで生成される。
【００４９】
こうして得られた、合成ボリュームデータに対応する画像は、表示装置１０７に順次出力される。これにより、リアルタイムに更新される光音響画像を提供することができる。特に、高分解能領域が互いに重複する位置において光音響波を受信し、ボリュームデータを生成するため、当該重複する位置の近傍において特にアーチファクトを抑制することができる。
【００５０】
合成ボリュームデータは、複数回分の光照射に対応する光音響信号を合成して得られたものである。しかし、被検体が生体である場合、例えば呼吸などの体動によって撮像対象が動くことがあるため、体動の前後で得られた光音響信号を合成して合成ボリュームデータを生成すると、体動によるボケが生じることがある。
よって、合成に用いるボリュームデータの数は、体動の影響が及ばない程度の数に制限することが好ましい。例えば、呼吸による体動が約０．３Ｈｚ（周期約３．３３秒）である場合、この周期よりも短い時間の間に取得された光音響信号を合成することで、体動の影響が低減された画像を得ることが可能となる。
【００５１】
仮に、光照射の周期が１０Ｈｚであるとすると、合成に用いるボリュームデータの数を１６以下に制限すれば、合成に用いる光音響信号を１．６秒以内に取得できるので、体動周期の約半分以下での合成が可能になる。さらに、合成に用いるボリュームデータの数を８以下に制限すれば、合成に用いる光音響信号を０．８秒以内に取得できるので、体動周期の約１／４程度での合成が可能になる。合成に用いるボリュームデータの数が少ないほど時間分解能の高い画像が得られ、逆に、合成に用いるボリュームデータの数が多いほどＳＮ比の高い画像が得られる。
【００５２】
合成に用いるボリュームデータの数は、操作者によって任意に設定できるようにしてもよい。また、合成に用いるボリュームデータの数を表示することで、操作者への利便性を向上させることができる。さらに、合成に用いている光音響信号の取得時間幅や、取得時間幅から算出した周期（Ｈｚ）を表示することで、得られる画像の時間分解能を操作者に認識させることができる。これにより、操作者は、合成に用いるボリュームデータの数や、時間分解能の指定がしやすくなる。
【００５３】
上述した動作によると、タイミングＴｅ２で取得された光音響信号は、画像Ｉｍ１およびＩｍ２には反映されるが、画像Ｉｍ３には反映されない。また、タイミングＴｅ３で取得された光音響信号は画像Ｉｍ１，Ｉｍ２，Ｉｍ３には反映されるが、画像Ｉｍ４には反映されない。つまり、あるタイミングで取得された光音響信号（当該光音響信号を用いたボリュームデータ）の、表示画像に対する寄与度が、時間の経過とともに低下する。結果、ボリュームデータの合成により、アーチファクトを抑制するとともに、時間的に古い光音響信号による画像への寄与を抑制しながら画像を更新することが可能となる。
【００５４】
上記で説明した動作を一般化して説明する。
本実施形態においては、被検体に対する相対位置が異なるＮ箇所（Ｎは３以上の整数）の位置で光音響信号をそれぞれ取得し、Ｎ個のボリュームデータを得る。そして、第ｉ〜第（ｉ＋ｍ）のボリュームデータ（ｉ＋ｍ＜Ｎ，ｉおよびｍはともに自然数）のうちの少なくとも２つのボリュームデータを合成することで第１の合成ボリュームデータを生成する。また、第（ｉ＋ｎ）〜第（ｉ＋ｎ＋ｍ）のボリュームデータ（ｎは自然数）のうちの少なくとも２つのボリュームデータを合成することで第２の合成ボリュームデータを生成する。その後、第１の合成ボリュームデータに基づく画像を、第２の合成ボリュームデー
タに基づく画像で更新することで、第１の合成画像と第２の合成画像を順次表示する。
【００５５】
図２（Ａ）に示したように、所定の領域（例えば軌道２０１の中心）の周囲を繰り返し周回しながら光音響信号の受信を行い、複数のボリュームデータを合成して得られる画像を周期的に表示することで、所定の領域に対応する動画像を提供することができる。この動画像は、表示装置１０７に出力してもよいし、不図示の記憶部に記録してもよい。
【００５６】
なお、ボリュームデータから合成ボリュームデータを作成する際に、古い光音響信号の寄与率を下げるため、合成の比率に重みを付けてもよい。例えば、ボリュームデータＶ（ｉ）からＶ（ｉ＋ｍ）を用いて合成ボリュームデータを作成する際のそれぞれのボリュームに対する比率をα（ｉ）からα（ｉ＋ｍ）とした場合、
α（ｉ）≦α（ｉ＋１）≦α（ｉ＋２）≦α（ｉ＋３）…≦α（ｉ＋ｍ）
となるようにすることで、合成ボリュームデータに対する古い光音響信号の寄与をさらに低減することが可能となる。
【００５７】
また、表示装置１０７に、ボリュームデータを取得するのに要した時間幅（例えば、Ｐｏｓ１に対応する光音響信号を得たタイミングから、Ｐｏｓ４に対応する光音響信号を得たタイミングまでの期間）を示してもよい。これにより、現在表示されている合成画像データがどの程度の時間分解能を有しているのかを操作者が把握することができる。
【００５８】
さらに、合成ボリュームデータを作成する際の、それぞれのボリュームに対する比率（α（ｉ）からα（ｉ＋ｍ））の値を表示してもよい。また、さらにその値を操作者が変更できるようにしてもよい。これにより、操作者の要望する時間分解能やアーチファクトの抑制レベルに応じて、測定パラメータを調整することができるようになる。
【００５９】
また、画像処理部１０６２は、高分解能領域に対応する画像上の領域を、それ以外の領域に対して強調する画像処理を行うようにしてもよい。
【００６０】
本実施形態は、複数の異なる波長の光を照射可能な光源を用いる場合にも適用できる。たとえば、被検体に照射する光の波長を１回の照射ごとに切り替える場合、異なる波長の光を照射することで得られた光音響信号同士を用いて画像再構成してもよいし、同じ波長の光を照射したことで得られた光音響信号同士を用いて画像再構成してもよい。いずれの場合にも、光音響信号を取得した複数のタイミングにおける高分解能領域のうち、少なくとも２つが重複していることが好ましい。同じ波長の光を照射することで得られた光音響信号のみを用いることにより、アーチファクトが低減された、その波長に特有な光音響画像を得ることができる。なお、同じ波長に対応する複数の光音響信号を用いる場合、それぞれの光音響信号を取得したタイミングが近いものを採用することで、時間分解能の高い光音響画像を得ることができる。
【００６１】
次に、異なる複数の波長を被検体に照射し、得られた光音響信号に基づいて被検体内の機能情報に関する画像を生成する場合の例について説明する。
【００６２】
図３は、光の照射タイミングごとの高解像度領域の中心の位置を模式的に示した図である。本例では、高解像度領域の中心の位置は時計回りに変化する。また、図４は、波長ごとの照射タイミングを示した図である。
【００６３】
本実施形態に係る光音響装置は、探触子ユニット１１０を周回運動させながら、波長１の光と波長２の光を交互に被検体に照射する。
ここではまず、波長１の光に着目し、光の照射タイミングを説明する。
波長１の光は、第一の周回において、タイミングＴｅ１，Ｔｅ２，Ｔｅ３，Ｔｅ４でそ
れぞれ照射される。各タイミングにおける高分解能領域の中心位置（光の照射位置、すなわち半球の中心をＸＹ平面に投影した位置）はそれぞれ、Ｐｏｓ１，Ｐｏｓ２，Ｐｏｓ３，Ｐｏｓ４となる。また、第二の周回において、タイミングＴｅ５，Ｔｅ６，Ｔｅ７でそれぞれ照射される。各タイミングにおける高分解能領域の中心位置（光の照射位置）はそれぞれ、Ｐｏｓ５，Ｐｏｓ６，Ｐｏｓ７となる。
【００６４】
波長２の光は、第一の周回において、タイミングＴｅ１’，Ｔｅ２’，Ｔｅ３’でそれぞれ照射される。各タイミングにおける高分解能領域の中心位置（光の照射位置）はそれぞれ、Ｐｏｓ５，Ｐｏｓ６，Ｐｏｓ７となる。また、第二の周回において、タイミングＴｅ４’，Ｔｅ５’，Ｔｅ６’，Ｔｅ７’でそれぞれ照射される。各タイミングにおける高分解能領域の中心位置（光の照射位置）はそれぞれ、Ｐｏｓ１，Ｐｏｓ２，Ｐｏｓ３，Ｐｏｓ４となる。
【００６５】
このように、本実施形態に係る光音響装置は、波長１の光の、第一の周回における照射位置と、波長２の光の、第二の周回における照射位置が同一の位置（Ｐｏｓ１，Ｐｏｓ２，Ｐｏｓ３，Ｐｏｓ４）になるように制御を行う。また、波長２の光の、第一の周回における照射位置と、波長１の光の、第二の周回における照射位置が同一の位置（Ｐｏｓ５，Ｐｏｓ６，Ｐｏｓ７）になるように制御を行う。すなわち、異なる波長の光が、異なる周回において互いに同じ位置に照射されるように制御する。
【００６６】
図４を参照して説明を続ける。
波長１の光をＰｏｓ１に照射したことに起因して得られた光音響信号から、ボリュームデータＶ１１が得られる。また、波長１の光をＰｏｓ２に照射したことに起因して得られた光音響信号から、ボリュームデータＶ１２が得られる。さらに、ボリュームデータＶ１１，Ｖ１２，Ｖ１３，Ｖ１４を合成することで、合成ボリュームデータＶ１’が得られる。また、ボリュームデータＶ１２，Ｖ１３，Ｖ１４，Ｖ１５を合成することで合成ボリュームデータＶ１’２が得られる。
【００６７】
波長２の光についても同様である。
波長２の光をＰｏｓ５，Ｐｏｓ６，Ｐｏｓ７，…で照射して得られた光音響信号から、ボリュームデータＶ２１，Ｖ２２，Ｖ２３，…が得られる。さらにボリュームデータＶ２１，Ｖ２２，Ｖ２３，Ｖ２４を合成することで合成ボリュームデータＶ２’１が得られる。また、ボリュームデータＶ２２，Ｖ２３，Ｖ２４，Ｖ２５を合成することで合成ボリュームデータＶ２’２が得られる。
【００６８】
ここで、合成ボリュームデータＶ１’１と合成ボリュームデータＶ２’４とに着目する。合成ボリュームデータＶ１’１は、ボリュームデータＶ１１，Ｖ１２，Ｖ１３，Ｖ１４を合成したものであり、各ボリュームデータは、それぞれ高分解能領域の中心が位置Ｐｏｓ１，Ｐｏｓ２，Ｐｏｓ３，Ｐｏｓ４にあるときに得られたデータを使用している。合成ボリュームデータＶ２’４は、ボリュームデータＶ２４，Ｖ２５，Ｖ２６，Ｖ２７を合成したものであり、各ボリュームデータは、それぞれ高分解能領域の中心が位置Ｐｏｓ１，Ｐｏｓ２，Ｐｏｓ３，Ｐｏｓ４にあるときに得られたデータを使用している。つまり、合成ボリュームデータＶ１’１と合成ボリュームデータＶ２’４は、同じ位置に光を照射して得られた光音響信号を用いたものとなる。すなわち、当該データを使用することで、機能情報ボリュームを算出することができる。
【００６９】
ここでは、異なる波長の光に対応する光音響信号を用いたボリュームデータから、酸素飽和度に関する指標を算出する例を説明する。
酸素飽和度（ＳＯ２）は、以下の式（２）により算出できる。
ここで、［ＨｂＯ２］は酸化ヘモグロビン濃度、［Ｈｂ］は還元ヘモグロビン濃度であ
る。εＨｂλ１、εＨｂλ２はそれぞれ波長λ１、λ２における還元ヘモグロビンのモル吸収係数、ΔεＨｂλ１、ΔεＨｂλ２はそれぞれ波長λ１、λ２における酸化ヘモグロビンのモル吸収係数から還元ヘモグロビンのモル吸収係数を引いた値である。また吸収係数（μａλ１、μａλ２）はそれぞれの位置での波長λ１、λ２における吸収係数であり、合成ボリュームとして得られた初期音圧分布を光フルエンスで除することで得られる。
【数２】
2019187617.tif 000004
【００７０】
ここで、画像処理部１０６２の動作タイミングについて説明する。先ほど述べたように、精度の高い機能情報ボリュームを得るためには、合成ボリュームデータＶ１’１と合成ボリュームデータＶ２’４が揃うまで待つ必要がある。そのため、撮像しながら機能情報ボリュームを表示する際は、異なる周回で異なる波長が照射された位置が重畳し、かつ指示された数のボリュームデータが揃った時点（例えば、図４に示したタイミングＴ０）で演算を開始し、表示を更新することが好ましい。
【００７１】
なお、タイミングＴ０が到来するまでは、合成ボリュームデータＶ２’１と、合成ボリュームデータＶ１’１のような、近いタイミングで取得したボリュームデータを合成した合成ボリュームデータを用いて機能情報ボリュームを算出してもよい。
さらに、合成ボリュームデータを生成する前のボリュームデータ同士で機能情報ボリュームを算出してもよい。このようなタイミングで処理を開始することで、より早いタイミングで撮像が開始できているかを操作者に確認させることができる。
【００７２】
ここで本実施形態の効果について、図５を用いて説明する。
図５（ａ）から図５（ｇ）は、Ｐｏｓ１からＰｏｓ７に対応した位置における光照射分布を模式的に示した図である。また、図中の丸は、高感度領域の中心を示している。例えば、１回目の周回で、Ｐｏｓ１，Ｐｏｓ２，Ｐｏｓ３，Ｐｏｓ４の各位置に対して波長１の光を照射した場合、図５（ａ）〜（ｄ）に示した光照射分布に対応した光音響信号を取得できる。
また、２回目の周回で、タイミングＴｅ４’，Ｔｅ５’，Ｔｅ６’，Ｔｅ７’において、Ｐｏｓ１，Ｐｏｓ２，Ｐｏｓ３，Ｐｏｓ４の各位置に対して波長２の光を照射した場合も、図５（ａ）〜（ｄ）に示した光照射分布に対応した光音響信号を取得できる。
【００７３】
このようにして得られた光音響信号から算出したボリュームデータを合成して合成ボリュームデータが得られる。つまり、波長１に対応する合成ボリュームデータＶ１’１と、波長２に対応する合成ボリュームデータＶ２’４は、ともに４つの光照射分布を積算した光照射分布に基づいて発生した光音響信号を用いて画像再構成したものと同等と考えることができる。図５（ｈ）は、図５（ａ），図５（ｂ），図５（ｃ），図５（ｄ）の光照射分布を積算したものである。
【００７４】
ところで、式（２）に記載したように、酸素飽和度を求める際の計算式には、２つの波長の光フルエンスの比が含まれる。そのため、関心領域中において、波長ごとに光照射分布が異なる場合、酸素飽和度の算出において、補正処理の負荷が増すことを含め、誤差を増大させる要因となりうる。
一方、本実施形態に係る光音響装置では、合成ボリュームデータＶ１’１と、合成ボリュームデータＶ２’４とを用いて、酸素飽和度などの機能情報ボリュームを算出する。いずれの合成ボリュームも、同一の位置に光を照射して得られた光音響信号を用いたものであるため、波長ごとの光照射分布の比は、図５（ｉ）に示したように均一となる。
【００７５】
一方、光の照射位置が波長ごとに異なる場合、光照射分布の比がばらつくため、精度の高い情報を取得することができない。図５（ｊ）は、波長１の光を、Ｐｏｓ１，Ｐｏｓ２，Ｐｏｓ３，Ｐｏｓ４に照射して得られた合成ボリュームと、波長２の光を、Ｐｏｓ５，Ｐｏｓ６，Ｐｏｓ７，Ｐｏｓ１に照射して得られた合成ボリュームを用いて酸素飽和度を算出した場合の光照射分布の比である。図から明らかなように、前述した制御を行わない場合、複数の波長の光を被検体に照射する場合における光照射分布の比がばらつき、精度低下を招いてしまう。
【００７６】
以上説明したように、本実施形態に係る光音響装置は、第一の周回において第一の波長の光が照射される位置と、第一の周回以降に行われる第二の周回において第二の波長が照射される位置とが重なるように制御を行う。換言すると、異なるタイミングにおいて、異なる波長の光が照射される位置が重畳するように制御を行う。これにより、機能情報ボリュームを算出する際の精度を向上させることが可能となる。
【００７７】
なお、ボリュームデータを合成する際のデータ数（以下、平均化数）を多くすると、関心領域内における光照射分布が均一化できる。平均化数は、一周回における一波長の照射回数程度（例えば、図３の例では３〜４回程度）とすることが好ましい。特に指示のない場合のデフォルト値として、一周回程度の照射回数を採用してもよい。
【００７８】
（第二の実施形態）
次に、第二の実施形態に係る光音響装置を、図６を参照して説明する。第二の実施形態に係る光音響装置は、画像処理部１０６２における、合成ボリュームの算出制御方法が異なるという点において、第一の実施形態と相違する。当該制御方法以外については、第一の実施形態と同様であるため、重複した説明は省略する。
【００７９】
第一の実施形態では、合成ボリュームデータを生成する際の平均化数を４回とした。これに対し、第二の実施形態では、複数の周回において、ある波長における照射位置が同じ照射位置に戻ってくるまでの照射回数を平均化数（図３の例では７回）とする。
【００８０】
図６は、第二の実施形態における照射タイミングを示した図である。図示したように、第二の実施形態では、複数回の周回によって得られるボリュームデータＶ１１〜Ｖ１７の７つのボリュームデータを合成して、波長１に対応する合成ボリュームデータＶ１’’１を生成する。同様に、複数回の周回によって得られるボリュームデータＶ２１〜Ｖ２７の７つのボリュームデータを合成して、波長２に対応する合成ボリュームデータＶ２’’１を生成する。
【００８１】
これらの合成ボリュームデータは、その取得順は異なるものの、全てＰｏｓ１，Ｐｏｓ２，Ｐｏｓ３，Ｐｏｓ４，Ｐｏｓ５，Ｐｏｓ６，Ｐｏｓ７において光の照射を行って得られた光音響信号を含んでいる。そのため、異なる波長間における光照射分布の比がより均一に近くなる。なお、第二の実施形態では、図６に示したタイミングＴ１において機能情報ボリュームの算出を開始することができる。
【００８２】
第二の実施形態では、このように、ある波長に注目した際に、その照射位置が同じ場所に戻ってくるまでの照射回数（本例では７回）を平均化数とする。これにより、異なる波長間の光照射分布の比のばらつきを抑制し、機能情報ボリュームの精度を向上させること
ができる。また、同じ光照射分布によって得られた光音響信号を用いた画像を順次更新することができるため、ちらつきの少ない動画を表示することができる。
【００８３】
（変形例）
なお、実施形態の説明は本発明を説明する上での例示であり、本発明は、発明の趣旨を逸脱しない範囲で適宜変更または組み合わせて実施することができる。
例えば、本発明は、上記手段の少なくとも一部を含む光音響装置として実施することもできる。また、本発明は、上記処理の少なくとも一部を含む被検体情報取得方法として実施することもできる。上記処理や手段は、技術的な矛盾が生じない限りにおいて、自由に組み合わせて実施することができる。
【００８４】
また、実施形態の説明では、光の照射位置を重畳させると表現したが、光照射分布が必ずしも完全に一致している必要はなく、各波長に対応する光照射分布の中心や重心が互いに近くに存在している状態であればよい。少なくとも、同じ周回における異なる波長間での照射位置の距離（例えば、タイミングＴｅ１におけるＰｏｓ１とタイミングＴｅ１’におけるＰｏｓ５）よりも、異なる周回における異なる波長間での照射位置の距離のほうが短ければ、本発明の効果が得られる。
【００８５】
また、実施形態の説明では、異なる２つの波長を用い、周回運動の１周期を７分割した位置で光の照射を行ったが、異なる２つの波長を用いる場合、１周期を２Ｎ＋１（Ｎは自然数）に分割し、２波長の光を交互に照射すれば本発明の効果が得られる。
また、３つの波長を順次切り替えながら照射する場合、１周期を３Ｎ＋１もしくは３Ｎ−１（Ｎは自然数）に分割すれば、本発明の効果が得られる。
また、それぞれの場合において、１波長の１周回あたりの照射回数が、２波長の場合はfloor((2N+1)/2)、３波長の場合はfloor((3N±1)/3)となるため、この数をデフォルトの
平均化数としてもよい。
【００８６】
また、実施形態の説明では、２波長および３波長の場合を例示したが、より多くの波長を用いてもよい。そのうちの少なくとも２つの波長が、異なる周回において同じ位置に照射されるように制御することで、本発明の効果を得ることができる。
また、使用する波長の数や平均化数などは、システムに入力される検査付帯情報を参照してシステムが自動的に判別してもよく、また操作者によってプリセットされた値を用いても構わない。
【００８７】
また、光音響装置が用いる制御パラメータは、操作者による入力や検査付帯情報に基づいて設定ないし変更してもよい。例えば操作者から指示があった場合や、検査付帯情報から時間分解能を高める必要があると判断された場合、光源の周波数、１周回あたりの光照射回数、１周回に要する時間、周回運動の半径、平均化回数などを変化させてもよい。
【００８８】
また、実施形態の説明では、変換素子と照射光学系の端部が一体化した形態を例示したが、必ずしもこれに限られない。また、実施形態の説明では、光の照射および音響波の受信と、画像の生成を平行して行う形態を例示したが、必ずしもこれに限られない。
【００８９】
本発明は、以下の処理を実行することによっても実現される。即ち、上述した各実施形態の１以上の機能を実現するプログラムを、ネットワーク又は各種記憶媒体を介してシステム或いは装置に供給し、そのシステム或いは装置のコンピュータにおける１つ以上のプロセッサがプログラムを読み出して実行する処理でも実現可能である。また、１以上の機能を実現する回路（例えば、ＦＰＧＡやＡＳＩＣ）によっても実現可能である。
【符号の説明】
【００９０】
１０３：光源、１０４：照射光学系、１１０：探触子ユニット
【図１】
2019187617.tif 000005
【図２】
2019187617.tif 000006
【図３】
2019187617.tif 000007
【図４】
2019187617.tif 000008
【図５】
2019187617.tif 000009
【図６】
2019187617.tif 000010